(57)【要約】【課題】クイックカップリング付容器弁が装着されたＬＰガス容器に対し、専用の充填ヘッド無しでＬＰガスを充填可能とするカップリングバルブアダプタを提供する。【解決手段】カップリングバルブアダプタ１０は、ＬＰガス容器９０に装着されたクイックカップリング付容器弁６０と、アングル弁３０との間に介在させ、両者を連通状態で接続する器具である。カップリングバルブアダプタ１０は、両端が開口したガス流路１１を有する本体部１２と、ガス流路１１の一方の開口１１ａをＬＰガス容器９０のネックに装着されたクイックカップリング付容器弁６０のガス出し入れ口６３に着脱可能に連結するためのソケット部１３と、ガス流路１１の他方の開口１１ｂをアングル弁３０の容器取付部３１に着脱可能に連結するための雌ネジ形式の接続部１４と、を備えている。【選択図】図４
2010175066.tif 000002
【特許請求の範囲】
【請求項１】
ＬＰガス容器に装着されたクイックカップリング付容器弁と、アングル弁との間に介在させ両者を連通状態で接続するカップリングバルブアダプタであって、
両端が開口したガス流路を有する本体部と、前記ガス流路の一方の開口をＬＰガス容器のネックに取り付けられたクイックカップリング付容器弁のガス出し入れ口に着脱可能に連結するためのソケット部と、前記ガス流路の他方の開口をアングル弁の容器取付部に着脱可能に連結するための雌ネジ形式の接続部と、を備えたことを特徴とするカップリングバルブアダプタ。
【請求項２】
前記ガス流路と大気中とを連通可能な手動式開閉弁を設けた請求項１記載のカップリングバルブアダプタ。
【請求項３】
前記本体部の外周に工具係止部を設けた請求項１または２記載のカップリングバルブアダプタ。
【発明の詳細な説明】
【技術分野】
【０００１】
本発明は、クイックカップリング付容器弁が装着されたＬＰガス容器にＬＰガスを充填したり、過充填ガスを放出したりする場合に使用するカップリングバルブアダプタに関する。
【背景技術】
【０００２】
図９，図１０に示すように、ＬＰガス容器９０のネック９１に装着されている容器用弁９２は、雄ねじ形式の容器取付部９３、ガス出し入れ口９５及び安全弁９７などを有する本体部９４、本体部９４に内蔵されたガス流路（図示せず）を開閉する操作ハンドル９６などで構成されている。ＬＰガス容器９０内のＬＰガスを使用する際には、ガスコンロなどのホースが調整器を介してガス出し入れ口９５に接続され、空になったＬＰガス容器９０にＬＰガスを充填する際には、ガス出し入れ口９５にガス供給ノズル（図示せず）が接続される。
【０００３】
一方、容器用弁９２と同様の構造、機能を有しながら、さらに過充填防止機能を備えたＬＰガス容器バルブが提案されている（例えば、特許文献１参照。）。
【０００４】
図９，図１０に示す容器用弁９２及び特許文献１記載のＬＰガス容器バルブはいずれも操作ハンドルの回転操作によりガス流路の開閉が行われるため、ガス出し入れ口に何も接続されていない状態で操作ハンドルが開放操作されると、ガス出し入れ口からＬＰガスが吹き出すことがある。
【０００５】
また、ガス出し入れ口に調整器などのガス器具を接続する場合、ガス器具に設けられた雄ねじ形式の接続部を、ガス出し入れ口の内周に形成された雌ネジ部に挿入して回転させなければならず、取り外すときには再び逆方向に回転させなければならないので、着脱操作が面倒である。また、締め付けが緩いと、ガス漏れが発生する可能性もある。
【０００６】
そこで、従来の容器用弁９２や特許文献１記載のＬＰガス容器バルブに代わるものとして、図６，図７に示すような、クイックカップリング付容器弁６０が使用されている。クイックカップリング付容器弁６０は、ガス流路（図示せず）が内蔵された本体部６１の一方の端部に形成された雄ねじ形式の容器取付部６２をＬＰガス容器９０のネック９１に螺着することによって取り付けられ、本体部６１の他方の端部にガス出し入れ口６３が設けられている。ガス出し入れ口６３内には、当該ガス出し入れ口６３にソケット形式の接続具（図示せず）を着脱することによって自動的に開閉するバルブ（図示せず）が内蔵されている。
【先行技術文献】
【特許文献】
【０００７】
【特許文献１】特開平１０−１８５０９７号公報
【発明の概要】
【発明が解決しようとする課題】
【０００８】
図６，図７に示すＬＰガス容器９０内のＬＰガスを使用する際には、クイックカップリング付容器弁６０のガス出し入れ口６３に、ソケット形式の接続具を有する調整器（図示せず）が接続され、空になったＬＰガス容器９０にＬＰガスを充填する際には、ガス出し入れ口６３にガス供給ノズル（図示せず）が接続される。
【０００９】
しかしながら、ＬＰガス充填用の既存のガス供給ノズルは、クイックカップリング付容器弁６０のガス出し入れ口６３に直接、接続することができないので、図８に示すような、クイックカップリング専用の充填ヘッド８０が使用されている。充填ヘッド８０は、ボールバルブ本体部８１と、ボールバルブ開閉用のレバー８２と、ＬＰガス供給側の接続部８３と、クイックカップリング付容器弁６０との接続手段であるソケット部８４と、を備えている。
【００１０】
このように、図６，図７に示すＬＰガス容器９０にＬＰガスを充填する場合、クイックカップリングクイックカップリング付容器弁６０に着脱可能な充填ヘッド８０が必要である。このため、充填ヘッド８０が具備されていないＬＰガス充填所においては、ＬＰガス容器９０へのＬＰガス充填は不可能である。また、クイックカップリング専用の充填ヘッド８０は構造が複雑で、高価であるため、一般のＬＰガス充填所に広く普及しておらず、ＬＰガス容器９０への充填が可能なＬＰガス充填所が限られているのが実状である。
【００１１】
本発明が解決しようとする課題は、クイックカップリングが装着されたＬＰガス容器に対し、専用の充填ヘッド無しでＬＰガスを充填可能とするカップリングバルブアダプタを提供することにある。
【課題を解決するための手段】
【００１２】
本発明のカップリングバルブアダプタは、ＬＰガス容器に装着されたクイックカップリング付容器弁と、アングル弁との間に介在させ両者を連通状態で接続するカップリングバルブアダプタであって、
両端が開口したガス流路を有する本体部と、前記ガス流路の一方の開口をＬＰガス容器のネックに取り付けられたクイックカップリング付容器弁のガス出し入れ口に着脱可能に接続するためのソケット部と、前記ガス流路の他方の開口をアングル弁の容器取付部に着脱可能に接続するための雌ネジ形式の接続部と、を備えたことを特徴とする。
【００１３】
このような構成とすれば、雌ネジ形式の接続部にアングル弁の容器取付部を接続したカップリングバルブアダプタのソケット部を、ＬＰガス容器に装着されたクイックカップリング付容器弁のガス出し入れ口に接続すれば、クイックカップリング付容器弁とアングル弁とがカップリングバルブアダプタを介して連通された状態となるため、アングル弁のガス出し入れ口に従来のガス供給ノズルを接続してＬＰガスを充填することができる。従って、クイックカップリング専用の充填ヘッド無しでも、ＬＰガスを充填することが可能となる。
【００１４】
また、前記ガス流路と大気中とを連通可能な手動式開閉弁を設けることができる。このような構成とすれば、必要に応じて手動式開閉弁を開操作することによりガス流路を大気中に連通させることが可能となる。従って、例えば、ＬＰガス容器のクイックカップリング付容器弁からカップリングバルブアダプタをアングル弁が接続された状態で離脱させた場合、手動式開閉弁を開操作することにより、カップリングバルブアダプタのガス流路内に残存するＬＰガスを排出することができる。
【００１５】
さらに、前記本体部の外周に工具係止部を設けることが望ましい。このような構成とすれば、容器用弁の容器取付部をバルブアダプタの接続部に螺着したり、外したりする際に前記工具係止部にスパナなどの工具を係合させて着脱作業を行うことができるので、作業性が向上する。なお、工具係止部としては、スパナなどの工具が係合可能な多角柱形状部（例えば、四角柱状部や六角柱状部など）を本体部外周の一部に設けることができる。
【発明の効果】
【００１６】
本発明により、クイックカップリング付容器弁が装着されたＬＰガス容器に対し、専用の充填ヘッド無しでＬＰガスを充填可能とするカップリングバルブアダプタを提供することができる。
【図面の簡単な説明】
【００１７】
【図１】本発明の実施形態であるカップリングバルブアダプタを示す側面図である。
【図２】図１に示すカップリングバルブアダプタの断面図である。
【図３】図２に示すカップリングバルブアダプタからキャップを外した状態を示す断面図である。
【図４】ＬＰガス容器に装着されたクイックカップリング付容器弁にカップリングバルブアダプタを着脱する状態を示す側面図である。
【図５】ＬＰガス容器に装着されたクイックカップリング付容器弁にカップリングバルブアダプタを接続した状態を示す側面図である。
【図６】クイックカップリング付容器弁が装着されたＬＰガス容器を示す正面図である。
【図７】図６における矢線Ａ方向から見た一部省略図である。
【図８】（ａ）はＬＰガス充填ヘッドを示す平面図であり、（ｂ）は前記ＬＰガス充填ヘッドの側面図である。
【図９】従来の容器用弁が装着されたＬＰガス容器を示す正面図である。
【図１０】図９における矢線Ｂ方向から見た一部省略図である。
【発明を実施するための形態】
【００１８】
以下、図１〜図５を参照しながら、本発明の実施の形態について説明する。図１は本発明の実施の形態であるカップリングバルブアダプタを示す側面図、図２は図１に示すカップリングバルブアダプタの断面図、図３は図２に示すカップリングバルブアダプタからキャップを取り外した状態を示す断面図、図４はＬＰガス容器に装着されたクイックカップリング付容器弁にカップリングバルブアダプタを着脱する状態を示す側面図、図５はＬＰガス容器に装着されたクイックカップリング付容器弁にカップリングバルブアダプタを接続した状態を示す側面図である。
【００１９】
図１〜図４に示すように、本実施形態のカップリングバルブアダプタ１０は、ＬＰガス容器９０に装着されたクイックカップリング付容器弁６０と、アングル弁３０との間に介在させ両者を連通状態で接続する器具である。カップリングバルブアダプタ１０は、両端が開口したガス流路１１を有する本体部１２と、ガス流路１１の一方の開口１１ａをＬＰガス容器９０のネック９１に装着されたクイックカップリング付容器弁６０のガス出し入れ口６３に着脱可能に連結するためのソケット部１３と、ガス流路１１の他方の開口１１ｂをアングル弁３０の容器取付部３１に着脱可能に連結するための雌ネジ形式の接続部１４と、を備えている。また、図１，図２に示すように、未使用状態のカップリングバルブアダプタ１０のソケット部１３の開口端１３ｇには、着脱可能な保護キャップ１５が取り付けられている。
【００２０】
ソケット部１３は、本体部１２下端の外周に装着された略円筒状のジョイント１３ａと、ジョイント１３ａの先端付近に配置された複数のボールベアリング１３ｈと、本体部１２下端の外周とジョイント１３の内周との間に配置された短管状のチャックガイド１３ｂと、ジョイント１３ａ外周に装着されたスリーブ１３ｄと、を備えている。チャックガイド１３ｂ及びスリーブ１３ｄはガス流路１１の軸心方向にスライド可能であり、それぞれスプリング１３ｅ，１３ｆによって開口１１ｂから開口１１ａへ向かう方向に付勢されている。スリーブ１３ｄの本体部１２寄りの外周には拡径したカラー１３ｃが設けられている。また、ガス流路１１と大気中とを連通可能な手動式開閉弁であるブロープラグ１６が本体部１２に設けられ、本体部１２外周には六角柱状の工具係止部１２ａが設けられている。
【００２１】
アングル弁３０は、雄ねじ形式の容器取付部３１及びガス出し入れ口３２などを有する本体部３３、本体部３３に内蔵されたガス流路（図示せず）を開閉する操作ハンドル３４などによって構成されている。図１，図２に示すように、未使用状態のアングル弁３０のガス出し入れ口３２には着脱可能な保護キャップ３５が取り付けられている。
【００２２】
次に、図４，図５を参照して、カップリングバルブアダプタ１０の使い方について説明する。ＬＰガス容器９０に装着されたクイックカップリング付容器弁６０にカップリングバルブアダプタ１０を接続する場合、図４に示すように、アングル弁３０が接続部１４に接続されたカップリングバルブアダプタ１０のソケット部１３から保護キャップ１５を取り外すことによって露出状態となった開口端１３ｇを、クイックカップリング付容器弁６０のガス出し入れ口６３に対向させ、スリーブ１３ｄのカラー１３ｃを本体部１２側へ引き上げた状態でソケット部１３をガス出し入れ口６３の位置に合わせて押し込む。
【００２３】
この後、ソケット部１３のカラー１３ｃに加えている引き上げ力を解除すれば、ボールベアリング１３ｈ（図３参照）がクイックカップリング付容器弁６０の係止溝６４（図４参照）に嵌り込み、図５に示すように、スリーブ１３ｄがクイックカップリング付容器弁６０側へ移動し、カップリングバルブアダプタ１０がクイックカップリング付容器弁６０に接続される。
【００２４】
また、カップリングバルブアダプタ１０のソケット部１３をクイックカップリング付容器弁６０のガス出し入れ口６３に向かって押し込む過程において、カップリングバルブアダプタ１０の開口端１３ｇから露出する本体部先端１２ｂが、クイックカップリング付容器弁６０のガス出し入れ口６３の軸心に位置する開閉弁体（図示せず）を押し込んで開放することにより、カップリングバルブアダプタ１０のガス流路１１とクイックカップリング付容器弁６０内のガス流路（図示せず）とが連通状態に接続される。
【００２５】
このように、雌ネジ形式の接続部１４に予めアングル弁３０の容器取付部３１が接続されたカップリングバルブアダプタ１０のソケット部１３を、ＬＰガス容器９０に装着されたクイックカップリング付容器弁６０のガス出し入れ口６３に接続すれば、クイックカップリング付容器弁６０とアングル弁３０とがカップリングバルブアダプタ１０を介して連通された状態となる。この後、アングル弁３０のガス出し入れ口３２に既存のガス供給ノズルを接続すれば、ＬＰガス容器９０へＬＰガスを充填することができる。
【００２６】
従って、図８に示すクイックカップリング専用の充填ヘッド８０などを使用すること無く、ＬＰガスをＬＰガス容器９０へ充填することが可能となり、一般のＬＰガス充填所においてガス充填することが可能となり、利便性が向上する。なお、カップリングバルブアダプタ１０をクイックカップリング付容器弁６０から離脱させる場合は、前述と逆の操作をすれば良いので、着脱作業は容易である。
【００２７】
一方、カップリングバルブアダプタ１０の本体部１２にはブロープラグ１６が設けられているため、必要に応じてブロープラグ１６を開操作することによりガス流路１１を大気中へ開放することができる。従って、ＬＰガス容器９０のクイックカップリング付容器弁６０からカップリングバルブアダプタ１０をアングル弁３０が接続された状態で離脱させたような場合、ブロープラグ１６を開操作することにより、カップリングバルブアダプタ１０のガス流路１１内に残存するＬＰガスを大気中へ排出することができる。
【００２８】
なお、カップリングバルブアダプタ１０は、ブロープラグ１６を設けない構造とすることも可能であり、その場合も前述した作用効果（クイックカップリング付容器弁６０が装着されたＬＰガス容器９０に対し、専用の充填ヘッド無しでＬＰガスを充填可能である）を得ることができる。
【００２９】
さらに、カップリングバルブアダプタ１０においては、その本体部１２外周に六角柱状の工具係止部１２ａが設けられているため、アングル弁３０の容器取付部３１をカップリングバルブアダプタ１０の接続部１４に螺着したり、取り外したりする場合に、工具係止部１２ａにスパナなどの工具を係合させて着脱作業を行うことができるので、作業性も良好である。
【産業上の利用可能性】
【００３０】
本発明のカップリングバルブアダプタは、クイックカップリング付容器弁が装着されたＬＰガス容器にガスを充填する場合の補助器具として、ＬＰガスの充填所などにおいて広く利用することができる。
【符号の説明】
【００３１】
１０  カップリングバルブアダプタ
１１  ガス流路
１１ａ，１１ｂ  開口
１２  本体部
１２ａ  工具係止部
１２ｂ  本体部先端
１３  ソケット部
１３ａ  ジョイント
１３ｂ  チャックガイド
１３ｃ  カラー
１３ｄ  スリーブ
１３ｅ，１３ｆ  スプリング
１３ｇ  開口端
１３ｈ  ボールベアリング
１４  接続部
１５，３５  保護キャップ
１６  ブロープラグ
３０  アングル弁
３１  容器取付部
３２  ガス出し入れ口
３３  本体部
３４  操作ハンドル
６０  クイックカップリング付容器弁
６３  ガス出し入れ口
９０  ＬＰガス容器
９１  ネック
【図１】
2010175066.tif 000003
【図２】
2010175066.tif 000004
【図３】
2010175066.tif 000005
【図４】
2010175066.tif 000006
【図５】
2010175066.tif 000007
【図６】
2010175066.tif 000008
【図７】
2010175066.tif 000009
【図８】
2010175066.tif 000010
【図９】
2010175066.tif 000011
【図１０】
2010175066.tif 000012